(57)【要約】    【課題】  高ズーム比で、全ズーム範囲にわたり高い光学性能を有したコンパクトなズームレンズを得ること。    【解決手段】  物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、  該第３レンズ群は、２以上の正レンズと、物体側の面が凸でメニスカス形状の負レンズを有し、該第４レンズ群は、正レンズと負レンズを有し、該第３、第４レンズ群の焦点距離を各々ｆ３、ｆ４、広角端と望遠端における全系の焦点距離を各々ｆｗ、ｆｔとするとき、      ０．１５＜ｆｗ／f４＜０．２６      １．０＜f３／(ｆｗ・ｆｔ)１／２＜１．２なる条件を満足すること。【選択図】  図１
2006293012.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
該第３レンズ群は、２以上の正レンズと、物体側の面が凸でメニスカス形状の負レンズを有し、該第４レンズ群は、正レンズと負レンズを有し、該第３、第４レンズ群の焦点距離を各々ｆ３、ｆ４、広角端と望遠端における全系の焦点距離を各々ｆｗ、ｆｔとするとき、
０．１５＜ｆｗ／f４＜０．２６
１．０＜f３／(ｆｗ・ｆｔ)１／２＜１．２
なる条件を満足することを特徴とするズームレンズ。
【請求項２】
前記第１、第２レンズ群の焦点距離を各々ｆ１、ｆ２とするとき、
９．４＜ｆ１／ｆｗ＜１３．３
−７．０＜ｆ１／ｆ２＜−６．２
なる条件を満足することを特徴とする請求項１に記載のズームレンズ。
【請求項３】
２１．５＜ｆｔ／ｆｗ＜２９．５
なる条件を満足することを特徴とする請求項１又は２のズームレンズ。
【請求項４】
前記第３レンズ群中の２以上の正レンズは、少なくとも１面が非球面形状のレンズを含んでいることを特徴とする請求項１、２、又は３のズームレンズ。
【請求項５】
固体撮像素子上に像を形成することを特徴とする請求項１から４のいずれか１項に記載のズームレンズ。
【請求項６】
請求項１から５のいずれか１項のズームレンズと、該ズームレンズによって形成された像を受光する固体撮像素子を有していることを特徴とする撮像装置。
【発明の詳細な説明】
【技術分野】
【０００１】
本発明はズームレンズに関し、例えば、ビデオカメラ、銀塩写真用カメラそしてデジタルスチルカメラ等の撮像装置用の撮影レンズに好適なものである。
【背景技術】
【０００２】
固体撮像素子を用いたビデオカメラ、デジタルスチルカメラ、銀塩フィルムを用いた銀塩写真用カメラ等の撮像装置に用いる撮影光学系には、全系がコンパクトで高解像の光学性能を有したズームレンズが要求されている。
【０００３】
又、ビデオカメラにおいても、高画質な静止画像を記録することが望まれてきており、高い光学性能でありながら小型なレンズ系であることが要求されている。
【０００４】
これらの要求に答えるズームレンズとして、物体側より像側へ順に、正の屈折力の第１レンズ群、負の屈折力の第２レンズ群、正の屈折力の第３レンズ群、そして正の屈折力の第４レンズ群の４つのレンズ群より成り、第２レンズ群を移動させて変倍を行い、第４レンズ群にて変倍に伴う像面変動を補正すると共に、フォーカシングを行う所謂リアフォーカス式の４群ズームレンズが知られている（特許文献１〜３）。
【０００５】
リアフォーカス式のズームレンズは、比較的小型軽量のレンズ群を移動させてフォーカスを行うので、レンズ群の駆動力が小さくてすみ迅速な焦点合わせが出来るという特徴がある。
【０００６】
このようなリアフォーカス式のズームレンズにおいて、レンズ枚数を極力少なくしたコンパクトなズームレンズが提案されている（特許文献４、５）。
【特許文献１】特開平８−３０４７００号公報
【特許文献２】特開２０００−１２１９４１号公報
【特許文献３】特開２００３−２９５０５３号公報
【特許文献４】特開５−０２７１６７号公報
【特許文献５】特開１１−２０２１９８号公報
【発明の開示】
【発明が解決しようとする課題】
【０００７】
特許文献４で提案されているズームレンズは、1／3インチ、1／4インチサイズの撮像素子に好適なレンズ構成を開示しており、特に非球面を複数用いる事でレンズ枚数の削減を計っている。
【０００８】
特許文献４では、第4レンズ群を１枚の正レンズで構成している為、色収差の補正が十分でない。このため、ズーム比が8倍程度まででは問題とならないが、ズーム比が20倍以上の高ズーム比になると、望遠側においてフォーカス時に色収差が大きく変動してくる。
【０００９】
特許文献５は、特許文献４と同様に第４レンズ群を１枚の正レンズで構成しているため、色収差の補正が十分でない。この他特許文献５では、第3レンズ群に強い屈折力を持たせている。この為第3レンズ群中の正レンズの面の曲率半径が小さくなり、広角端の口径比をF1.8程度よりも大きくしようとすると広角端での光学性能を良好に維持するのが困難になる。又、口径比を大きくしようとするとレンズ外径が大きくなり、正レンズの面の曲率半径が小さくなるとレンズ周辺部のレンズ厚を確保するのにレンズ中心厚を増大せねばならなく、レンズ系全体が大型化してくる。
【００１０】
ズームレンズにおいて、変倍用のレンズ群の屈折力を強めれば所定のズーム比を得るための移動量が少なくなる為、レンズ全長の短縮化を図りつつ、高ズーム比化を図ることができる。
【００１１】
しかしながら、各レンズ群のレンズ構成を適切に設定しないで、単に各レンズ群の屈折力を強めると、ズーミングに伴う収差変動が大きくなり、高ズーム比化を図る際には全変倍範囲にわたり良好なる光学性能を得るのが難しくなってくる。
【００１２】
本発明は、各レンズ群の屈折力や各レンズ群のレンズ構成等を適切に設定することにより、高ズーム比で、しかも全ズーム範囲にわたり高い光学性能が得られるコンパクトなズームレンズ及びそれを有する撮像装置の提供を目的とする。
【課題を解決するための手段】
【００１３】
本発明のズームレンズは、物体側より像側へ順に、正の屈折力の第１レンズ群、負の屈折力の第２レンズ群、正の屈折力の第３レンズ群、正の屈折力の第４レンズ群を有し、ズーミングに際して該第２、第４レンズ群が移動するズームレンズであって、
該第３レンズ群は、２以上の正レンズと、物体側の面が凸でメニスカス形状の負レンズを有し、該第４レンズ群は、正レンズと負レンズを有し、該第３、第４レンズ群の焦点距離を各々ｆ３、ｆ４、広角端と望遠端における全系の焦点距離を各々ｆｗ、ｆｔとするとき、
０．１５＜ｆｗ／f４＜０．２６
１．０＜f３／(ｆｗ・ｆｔ)１／２＜１．２
なる条件を満足することを特徴としている。
【発明の効果】
【００１４】
本発明によれば、高ズーム比で、全ズーム範囲にわたり高い光学性能を有したコンパクトなズームレンズが得られる。
【発明を実施するための最良の形態】
【００１５】
【実施例１】
【００１６】
以下、本発明のズームレンズ及びそれを有する撮像装置の実施例について説明する。
【００１７】
図１は本発明の実施例１のズームレンズの広角端におけるレンズ断面図、図２、図３、図４はそれぞれ実施例１のズームレンズの広角端、中間のズーム位置、望遠端における収差図である。
【００１８】
図５は本発明の実施例２のズームレンズの広角端におけるレンズ断面図、図６、図７、図８はそれぞれ実施例２のズームレンズの広角端、中間のズーム位置、望遠端における収差図である。
【００１９】
図９は本発明の実施例３のズームレンズの広角端におけるレンズ断面図、図１０、図１１、図１２はそれぞれ実施例３のズームレンズの広角端、中間のズーム位置、望遠端における収差図である。
【００２０】
図１３は本発明のズームレンズを備えるビデオカメラ（撮像装置）の要部概略図である。各実施例のズームレンズは撮像装置に用いられる撮影レンズ系であり、レンズ断面図において、左方が被写体側（前方）で、右方が像側（後方）である。
【００２１】
尚、各実施例のズームレンズをプロジェクター等の投射レンズとして用いるときは、左方がスクリーン、右方が被投射画像となる。レンズ断面図において、Ｌ１は正の屈折力（光学的パワー＝焦点距離の逆数）の第１レンズ群、Ｌ２は負の屈折力の第２レンズ群、Ｌ３は正の屈折力の第３レンズ群、Ｌ４は正の屈折力の第４レンズ群である。ＳＰは開口絞りであり、第３レンズ群Ｌ３の物体側に位置している。
【００２２】
Ｇは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面が、銀塩フィルム用カメラの撮像光学系として使用する際にはフィルム面に相当する。
【００２３】
収差図において、ｄ、ｇは各々ｄ線及びｇ線、ΔＭ、ΔＳはメリディオナル像面、サジタル像面、倍率色収差はｇ線によって表している。
【００２４】
尚、以下の各実施例において広角端と望遠端は変倍用レンズ群（第２レンズ群Ｌ２）が機構上光軸上移動可能な範囲の両端に位置したときのズーム位置をいう。
【００２５】
各実施例では、広角端から望遠端へのズーミングに際して矢印のように、第２レンズ群Ｌ２を像側へ移動させて変倍を行うと共に、変倍に伴う像面変動を第４レンズ群Ｌ４を物体側に凸状の軌跡を有するよう移動させて補正している。
【００２６】
また、第４レンズ群Ｌ４を光軸上移動させてフォーカシングを行うリアフォーカス式を採用している。第４レンズ群Ｌ４に関する実線の曲線４ａと点線の曲線４ｂは、各々無限遠物体と近距離物体にフォーカスしているときの変倍に伴う像面変動を補正するための移動軌跡である。このように第４レンズ群Ｌ４を物体側へ凸状の軌跡とすることで第３レンズ群Ｌ３と第４レンズ群Ｌ４との間の空気の有効利用を図り、レンズ全長の短縮化を効果的に達成している。
【００２７】
又、望遠端において無限遠物体から近距離物体へフォーカスを行う場合には、矢印４ｃに示すように第４レンズ群Ｌ４を前方に繰り出すことで行っている。
【００２８】
尚、第１レンズ群Ｌ１と第３レンズ群Ｌ３、そして開口絞りＳＰは、ズーム及びフォーカスの為には光軸方向に移動しない。但し収差補正上必要に応じ移動させても良い。
【００２９】
各実施例のズームレンズは、物体側より像側へ順に、第１レンズ群Ｌ１は２以上の正レンズを有するようにしている。具体的には、物体側の面が凸面でメニスカス形状の負レンズ（負の屈折力のレンズ）と、正レンズ（正の屈折力のレンズ）とを接合した接合レンズ、物体側の面が凸面でメニスカス形状の正レンズより成っている。
【００３０】
第２レンズ群Ｌ２は負レンズの数が３つ以下となるようにしている。具体的には、物体側から像側に順に、屈折力の絶対値が物体側の面に比べ像側の面が大きい負レンズ、物体側の面が凹形状の負レンズ、物体側の面が凸形状の正レンズと負レンズとを接合した接合レンズより成っている。
【００３１】
第２レンズ群Ｌ２をこのように構成することによってズーミングの際に変動する像面湾曲と歪曲等の諸収差を良好に補正している。
【００３２】
第３レンズ群Ｌ３は、２以上の正レンズと、物体側の面が凸でメニスカス形状の負レンズを有し、該２以上の正レンズは、少なくとも１面が非球面形状のレンズを含んでいる。
【００３３】
第４レンズ群Ｌ４は、正レンズと負レンズを有している。
【００３４】
特に第４レンズ群Ｌ４は、物体側と像側の面が凸形状の正レンズと、像側の面が凸面でメニスカス形状の負レンズとを接合した接合レンズより成っている。
【００３５】
これによって第４レンズ群Ｌ４でフォーカスするときの収差変動、特に色収差の変動が少なくなるようにしている。
【００３６】
以上のように各実施例のズームレンズでは、第3レンズ群L3またはその近傍の有効径で広角端の口径比（Ｆナンバーの逆数）が決定される。この為、口径比を大きく（Ｆナンバーを小さく）しようとした場合、第3レンズ群L3の有効径が大きくなる。そこで第3レンズ群L3に2枚の正レンズを配置し、第３レンズ群Ｌ３全体の屈折力を分割すると共に第3レンズ群L3中の正レンズの少なくとも1面を非球面形状としている。これによって全系の口径比を大きくした場合でも第3レンズ群L3中の正レンズの各面の曲率半径が緩やかになり主に、球面収差を良好に補正する事ができるようにしている。
【００３７】
また、主に広角端の軸上色収差を補正する為に第3レンズ群L3中に負レンズを配置している。このときの負レンズを物体側の面が凸でメニスカス形状としている。これにより、全系の口径比が大きい場合でも軸上及び軸外光線のうち光軸から離れた位置を通過する光線が第3レンズ群L3中の負レンズへ入射する角度が緩やかになる。この結果色フレアの発生を少なくしている。
【００３８】
各実施例では以上のように各レンズ群を構成することによって、レンズ系全体を小型化し、簡易なレンズ構成にもかかわらず、全ズーム範囲、又、物体距離全般にわたり高い光学性能を得ている。
【００３９】
次に各実施例の前述した特徴以外の特徴について説明する。
【００４０】
◎第３レンズ群Ｌ３、第４レンズ群Ｌ４の焦点距離を各々ｆ３、ｆ４、広角端と望遠端における全系の焦点距離をｆｗ、ｆｔとするとき。
【００４１】
０．１５＜ｆｗ／f４＜０．２６・・・・（１）
１．０＜f３／(ｆｗ・ｆｔ)１／２＜１．２・・・・（２）
なる条件を満足している。
【００４２】
条件式(1)は第４レンズ群Ｌ４の最終面から像面までの長さを規定する為の条件である。条件式(1)の上限値を超えて、第4レンズ群L4の焦点距離が短くなりすぎると、バックフォーカスが短くなり、ＣＣＤ（固体撮像素子）に設けられているフェースプレートやモアレ縞の発生を少なくする為のローパスフィルター等を配置するスペースが不足してくる。更に第4レンズ群L4で発生する収差量も増える為、レンズ枚数や非球面の数を増加しなければならなくなってくる。逆に下限値を超えると、バックフォーカスが長くなりすぎレンズ全長が長くなる。この他第4レンズ群L4で変倍時の像面補正を行うとき、変倍中に第3レンズ群L3と第4レンズ群L4との距離が短くなり鏡筒や遮光部材の入るスペースが不足してくる。
【００４３】
条件式(2)は収差の発生を小さくしつつ口径比を大きくする為の条件式である。条件式(2)の上限値を超えると、第3レンズ群L3の焦点距離が長くなりレンズ全長が増加してくる。逆に下限値を超えると、第3レンズ群L3の焦点距離が短くなりすぎて、主に広角端において球面収差や軸上色収差の補正が困難となる。
【００４４】
尚、更に好ましくは、条件式（１）、（２）の数値範囲を次の如く設定するのが良い。
【００４５】
０．１８＜ｆｗ／ｆ４＜０．２５・・・・（１ａ）
１．０５＜ｆ３／（ｆｗ・ｆｔ）１／２＜１．１８・・・・（２ａ）
◎第１レンズ群Ｌ１、第２レンズ群Ｌ２の焦点距離を各々ｆ１、ｆ２とするとき、
９．４＜f１／ｆｗ＜１３．３・・・・・・（３）
−７．０＜f１／ｆ２＜−６．２・・・・・・（４）なる条件を満足している。
【００４６】
条件式(3)は高ズーム比を確保する為の条件式である。各実施例のズームレンズでは口径比を大きくしつつ良好な光学性能を得る方法として、第3レンズ群L3の焦点距離を短くする方法は困難であることの理由は条件式(2)の説明で述べた通りである。
【００４７】
各実施例では第2レンズ群L2を物体側から像面側へ動かすことによって広角端から望遠端へズーミングを行っている。このタイプのズームレンズにおいて、高ズーム比を図るには第２レンズ群Ｌ２のズーミングにおける可動距離を大きくする事が必要となる。その結果、広角端で負の屈折力の第2レンズ群L2から射出される光線角度が緩やかになり、正の屈折力の第3レンズ群L3の焦点距離が長くても、結果的にバックフォーカスが長くなりすぎない為、第3レンズ群L3から像面までの全長が長くならないで済む。すなわち口径比が大きく、収差補正が良好に行なわれているズームレンズでは、高ズーム比を図るとき第3レンズ群L3及び第4レンズ群L4の焦点距離を更に長くする必要性が少ない。この結果、高ズーム比化の為の第2レンズ群L2の可動距離確保以外の全長の増加は起こりにくい。条件式(3)の上限値を超えて、第1レンズ群L1の焦点距離が長くなりすぎると第2レンズ群L2が移動した際の変倍効果が薄れる。この結果高ズーム比を確保する為に、第2レンズ群L2の移動量を増加せねばならずレンズ全長の増加となり好ましくない。逆に下限値を超えて、第1レンズ群L1の焦点距離が短くなりすぎると、主に第1レンズ群L1で補正している望遠端の球面収差と、軸上色収差が悪化してくる。
【００４８】
条件式(4)は広角端の焦点距離を規制する為の条件式である。条件式(4)の上限値を超えて、第2レンズ群L2の屈折力が弱くなると、望遠端において第1レンズ群L1で発生した軸上色収差を打ち消す事が難しくなる。逆に下限値を超えると、広角端の画角が広くなりすぎる為、第1レンズ群L1の有効径が大きくなってくるので良くない。
【００４９】
尚、更に好ましくは、条件式（３）、（４）の数値範囲を次の如く設定するのが良い。
【００５０】
９．５＜f１／ｆｗ＜１３．０・・・・・・（３ａ）
−６．８＜f１／ｆ２＜−６．３・・・・・・（４ａ) 
◎広角端と望遠端における全系の焦点距離を各々ｆｗ、ｆｔとするとき。
【００５１】
２１．５＜ｆｔ／ｆｗ＜２９．５・・・・（５）
なる条件を満足している。
【００５２】
条件式（５）は、高ズーム比化を図るときに全ズーム範囲にわたり、良好なる収差補正を行うことができるズーム化の範囲を特定したものである。
【００５３】
条件式（５）の上限を超えると、ズーミングに伴う収差変動を良好に補正するのが難しくなる。
【００５４】
又、下限を超えると、ビデオカメラやデジタルカメラ等の撮像装置用の撮影系としてのズーム比が不足してくるので良くない。
【００５５】
尚、更に好ましくは、条件式（５）の数値範囲を次の如く設定するのが良い。
【００５６】
２２＜ｆｔ／ｆｗ＜２８．５・・・・（５ａ）
各実施例では、以上のように各構成を特定することによって、ズーム比が22〜29倍程度と高ズーム比ながらもF1.2程度の大口径比であるリアフォーカス式のズームレンズが得られる。
以下に、実施例１〜３に各々対応する数値実施例１〜３を示す。各数値実施例において、ｉは物体側からの面の順番を示し、Ｒｉは第ｉ番目（第ｉ面）の曲率半径、Ｄｉは第ｉ面と第ｉ＋１面との間の間隔、Ｎｉ，νｉはそれぞれｄ線を基準とした屈折率，アッベ数を示す。
【００５７】
又、数値実施例１〜３では最も像側の２つの面は光学ブロックに相当する平面である。非球面形状は光軸からの高さｈの位置での光軸方向の変位を面頂点を基準にしてＸとするとき、
【００５８】
【数１】
2006293012.tif 000003
【００５９】
で表される。
【００６０】
但しＲは近軸曲率半径、ｋは円錐定数、Ａ´、Ｂ、Ｂ´、Ｃ、Ｃ´、Ｄ、Ｄ´、Ｅ、Ｅ´は非球面係数である。
【００６１】
又、「ｅ−Ｘ」は「×１０−Ｘ」を意味している。ｆは焦点距離、ＦｎｏはＦナンバー、ωは半画角を示す。又、前述の各条件式と数値実施例における諸数値との関係を表１に示す。
数値実施例1
f = 3.80 〜 91.06  Fno = 1.24 〜 3.25  2ω = 63.5゜〜 3.0゜
R 1 =   79.486      D 1 =  1.30      N 1 = 1.846660      ν 1 = 23.9
R 2 =   33.876      D 2 =  6.70      N 2 = 1.729157      ν 2 = 54.7
R 3 =-4788.459      D 3 =  0.20
R 4 =   32.723      D 4 =  3.85      N 3 = 1.804000      ν 3 = 46.6
R 5 =   68.190      D 5 =  可変
R 6 =   37.464      D 6 =  0.80      N 4 = 1.834807      ν 4 = 42.7
R 7 =    6.065      D 7 =  3.35
R 8 =  -19.972      D 8 =  0.80      N 5 = 1.834807      ν 5 = 42.7
R 9 =   19.972      D 9 =  0.35
R10 =   13.430      D10 =  3.10      N 6 = 1.846660      ν 6 = 23.9
R11 =  -27.165      D11 =  0.80      N 7 = 1.788001      ν 7 = 47.4
R12 =  226.056      D12 =  可変
R13 =    絞り       D13 =  1.00
R14 =   17.269      D14 =  4.35      N 8 = 1.693500      ν 8 = 53.2
R15 =  -38.585      D15 =  0.20
R16 =   12.205      D16 =  3.50      N 9 = 1.487490      ν 9 = 70.2
R17 =   74.783      D17 =  0.80      N10 = 1.846660      ν10 = 23.9
R18 =   11.496      D18 =  可変
R19 =   14.868      D19 =  3.25      N11 = 1.589130      ν11 = 61.3
R20 =   -7.683      D20 =  1.00      N12 = 1.834000      ν12 = 37.2
R21 =  -15.480      D21 =  可変
R22 =    ∞         D22 =  2.77      N13 = 1.516330      ν13 = 64.1
R23 =    ∞
＼焦点距離   3.80    18.99    91.06
可変間隔＼
D 5           0.90    24.36    34.42
D12          35.10    11.64     1.58
D18           9.32     4.22     9.72
D21           4.38     9.49     3.99
非球面係数
R14 k =-2.34033e+00 B =0.00000e+00 C =0.00000e+00 D = 0.00000e+00 E =0.00000e+00 
A'= 9.69539e-05 B'=3.41867e-06 C'=3.44128e-08 D'=-6.50409e-10 E'=0.00000e+00 
R15 k =8.94287e+00 B =0.00000e+00 C = 0.00000e+00 D = 0.00000e+00
E =0.00000e+00 
A'=1.09047e-04 B'=7.93406e-06 C'=-1.99612e-08 D'=-2.96090e-10 E'=0.00000e+00 
R19 k =-2.61702e-01 B =-5.16748e-05 C =4.19084e-06 D =-3.70955e-07 E =1.24518e-08 
A'= 0.00000e+00 B'= 0.00000e+00 C'=0.00000e+00 D'= 0.00000e+00 E'=0.00000e+00 
数値実施例2
f = 3.77 〜 105.51  Fno = 1.24 〜 3.25  2ω = 63.9゜〜 2.5゜
R 1 =      74.352      D 1 =  1.30      N 1 = 1.846660      ν 1 = 23.9
R 2 =      33.006      D 2 =  6.58      N 2 = 1.712995      ν 2 = 53.9
R 3 =-1126676.036      D 3 =  0.20
R 4 =      32.440      D 4 =  4.45      N 3 = 1.772499      ν 3 = 49.6
R 5 =      72.681      D 5 =  可変
R 6 =      48.402      D 6 =  0.80      N 4 = 1.834807      ν 4 = 42.7
R 7 =       6.423      D 7 =  2.99
R 8 =     -24.060      D 8 =  0.80      N 5 = 1.785896      ν 5 = 44.2
R 9 =      19.819      D 9 =  0.47
R10 =      13.107      D10 =  2.88      N 6 = 1.846660      ν 6 = 23.9
R11 =     -24.411      D11 =  0.80      N 7 = 1.785896      ν 7 = 44.2
R12 =      53.486      D12 =  可変
R13 =       絞り       D13 =  1.00
R14 =      25.320      D14 =  5.00      N 8 = 1.693500      ν 8 = 53.2
R15 =     -40.242      D15 =  0.20
R16 =      10.456      D16 =  3.93      N 9 = 1.487490      ν 9 = 70.2
R17 =      92.727      D17 =  0.80      N10 = 1.846660      ν10 = 23.9
R18 =      12.011      D18 =  可変
R19 =      15.447      D19 =  4.22      N11 = 1.583126      ν11 = 59.4
R20 =      -7.918      D20 =  1.00      N12 = 1.834000      ν12 = 37.2
R21 =     -13.697      D21 =  可変
R22 =       ∞         D22 =  2.77      N13 = 1.516330      ν13 = 64.1
R23 =       ∞
＼焦点距離   3.77    19.99    105.51
可変間隔＼
D 5           0.90    23.72     33.50
D12          34.17    11.35      1.57
D18           6.78     2.65     10.74
D21           5.81     9.93      1.85
非球面係数
R14 k =-3.66039e+00 B = 0.00000e+00 C = 0.00000e+00 D = 0.00000e+00 E =0.00000e+00 
A'= 4.52042e-05 B'=-5.93818e-07 C'=-3.39414e-09 D'=-3.16040e-10 E'=0.00000e+00 
R15 k =1.16946e+01 B =0.00000e+00 C = 0.00000e+00 D =0.00000e+00 E =0.00000e+00 
A'=8.10602e-05 B'=3.65620e-06 C'=-3.63801e-08 D'=1.14272e-11 E'=0.00000e+00 
R19 k =-8.48389e-01 B =-8.61183e-05 C =-6.67448e-07 D =1.70291e-08 E =0.00000e+00 
A'= 0.00000e+00 B'= 0.00000e+00 C'= 0.00000e+00 D'=0.00000e+00 E'=0.00000e+00 
数値実施例3
f = 3.87 〜 86.90  Fno = 1.24 〜 3.25  2ω = 62.5゜〜 3.1゜
R 1 =   60.018      D 1 =  1.80      N 1 = 1.846660      ν 1 = 23.9
R 2 =   27.817      D 2 =  7.26      N 2 = 1.696797      ν 2 = 55.5
R 3 = -385.237      D 3 =  0.20
R 4 =   24.146      D 4 =  3.49      N 3 = 1.712995      ν 3 = 53.9
R 5 =   52.924      D 5 =  可変
R 6 =   51.281      D 6 =  0.90      N 4 = 1.882997      ν 4 = 40.8
R 7 =    5.591      D 7 =  3.24
R 8 =  -15.172      D 8 =  0.80      N 5 = 1.743997      ν 5 = 44.8
R 9 =   56.130      D 9 =  0.00
R10 =   11.442      D10 =  2.51      N 6 = 1.846660      ν 6 = 23.9
R11 =  -30.295      D11 =  0.80      N 7 = 1.684088      ν 7 = 56.4
R12 =   19.067      D12 =  可変
R13 =    絞り       D13 =  1.10
R14 =   22.164      D14 =  2.81      N 8 = 1.693500      ν 8 = 53.2
R15 =  -71.082      D15 =  6.14
R16 =   29.261      D16 =  1.40      N 9 = 1.846660      ν 9 = 23.9
R17 =   11.415      D17 =  0.70
R18 =   11.449      D18 =  3.97      N10 = 1.516330      ν10 = 64.1
R19 =  -30.676      D19 =  可変
R20 =   14.867      D20 =  3.40      N11 = 1.701536      ν11 = 41.2
R21 =   -9.503      D21 =  0.80      N12 = 1.846660      ν12 = 23.9
R22 =  -43.709      D22 =  可変
R23 =    ∞         D23 =  2.77      N13 = 1.516330      ν13 = 64.2
R24 =    ∞
＼焦点距離   3.87    16.88    86.90
可変間隔＼
D 5           0.87    17.44    24.54
D12          25.06     8.49     1.38
D19           7.65     3.39    10.58
D22           4.78     9.03     1.84
非球面係数
R14 k =-6.03456e+00 B =2.80820e-05 C =-1.78090e-07 D =0.00000e+00 E =0.00000e+00 
A'= 0.00000e+00 B'=0.00000e+00 C'= 0.00000e+00 D'=0.00000e+00 E'=0.00000e+00 
【００６２】
【表１】
2006293012.tif 000004
【００６３】
次に本発明のズームレンズを撮影光学系として用いたビデオカメラの実施例を図１３を用いて説明する。
【００６４】
図１３において、10はビデオカメラ本体、11は本発明のズームレンズによって構成された撮影光学系、12は撮影光学系11によって被写体像を受光するＣＣＤセンサやＣＭＯＳセンサ等の固体撮像素子（光電変換素子）、１３は撮像素子１２によって光電変換された被写体像に対応する情報を記憶するメモリ、１４は不図示の表示素子に表示された被写体像を観察するためのファインダーである。上記表示素子は液晶パネル等によって構成され、撮像素子１２上に形成された被写体像が表示される。
【００６５】
本発明のズームレンズは、デジタルスチルカメラにも同様に適用することができる。
【００６６】
このように本発明のズームレンズをビデオカメラやデジタルスチルカメラ等の撮像装置に適用することにより、小型で高い光学性能を有する撮像装置が実現できる。
【図面の簡単な説明】
【００６７】
【図１】実施例１のズームレンズの広角端におけるレンズ断面図
【図２】実施例１のズームレンズの広角端における諸収差図
【図３】実施例１のズームレンズの中間のズーム位置における諸収差図
【図４】実施例１のズームレンズの望遠端における諸収差図
【図５】実施例２のズームレンズの広角端におけるレンズ断面図
【図６】実施例２のズームレンズの広角端における諸収差図
【図７】実施例２のズームレンズの中間のズーム位置における諸収差図
【図８】実施例２のズームレンズの望遠端における諸収差図
【図９】実施例３のズームレンズの広角端におけるレンズ断面図
【図１０】実施例３のズームレンズの広角端における諸収差図
【図１１】実施例３のズームレンズの中間のズーム位置における諸収差図
【図１２】実施例３のズームレンズの望遠端における諸収差図
【図１３】本発明の撮像装置の要部概略図
【符号の説明】
【００６８】
Ｌ１  第１レンズ群
Ｌ２  第２レンズ群
Ｌ３  第３レンズ群
Ｌ４  第４レンズ群
ＳＰ  開口絞り
Ｇ    ガラスブロック
ＩＰ  像面
ｄ    ｄ線
ｇ    ｇ線
ΔＭ  メリディオナル像面
ΔＳ  サジタル像面
【図１】
2006293012.tif 000005
【図２】
2006293012.tif 000006
【図３】
2006293012.tif 000007
【図４】
2006293012.tif 000008
【図５】
2006293012.tif 000009
【図６】
2006293012.tif 000010
【図７】
2006293012.tif 000011
【図８】
2006293012.tif 000012
【図９】
2006293012.tif 000013
【図１０】
2006293012.tif 000014
【図１１】
2006293012.tif 000015
【図１２】
2006293012.tif 000016
【図１３】
2006293012.tif 000017